(57)【要約】【課題】記録ディスクの引き込み完了の検出を簡単な構造により実現する。【解決手段】各ローディングアーム２１の回動をラックプレート３１の左右方向の移動に変換し、ラックプレート３１の移動をセレクトプレート３７の前後方向の移動に変換し、イジェクトアーム４１の支軸４２の位置を、直径８ｃｍの記録ディスク１の挿入時と直径１２ｃｍの記録ディスク２の挿入時とで変更する。これにより、直径８ｃｍの記録ディスク１の引き込み完了検出と、直径１２ｃｍの記録ディスク２の引き込み完了検出とを等しい挙動で実現する。【選択図】図９
2007102937.tif 000002
【特許請求の範囲】
【請求項１】
互いに直径の異なる複数種類の記録ディスクに対して情報の読み取りまたは記録を行うディスクドライブであって、
基板と、
前記基板に回動可能に支持され、前記記録ディスクの周縁を狭持し、前記記録ディスクの搬送を行う一対の搬送アームと、
前記基板に左右方向に移動可能に支持された第１移動部材と、
前記搬送アームの回動を前記第１移動部材の左右方向の移動に変換する第１動き変換機構と、
前記基板に前後方向に移動可能に支持された第２移動部材と、
前記第１移動部材の左右方向の移動を前記第２移動部材の前後方向の移動に変換する第２動き変換機構と、
前記第２移動部材に支持され、前記第２移動部材の移動に伴って前後方向に移動し、前記記録ディスクの引き込み完了を検出する引き込み検出手段とを備え、
前記引き込み検出手段は、前記第２移動部材が前側に位置するときには、前記複数種類の記録ディスクのうちの小径の記録ディスクの引き込み完了を検出し、前記第２移動部材が後ろ側に位置するときには、前記複数種類の記録ディスクのうちの大径の記録ディスクの引き込み完了を検出することを特徴とするディスクドライブ。
【請求項２】
前記第１動き変換機構は、
前記一対の搬送アームにそれぞれ固定された一対のギアと、
前記第１移動部材の左右方向一方側に設けられ、前記一対のギアのうちの前記左右方向一方側に配置されたギアとピニオンを介して噛み合う第１ラック部と、
前記第１移動部材の左右方向他方側に設けられ、前記一対のギアのうちの前記左右方向他方側に配置されたギアと噛み合う第２ラック部とを備えていることを特徴とする請求項１に記載のディスクドライブ。
【請求項３】
前記第２動き変換機構は、
前後方向において位置が互いに異なる複数の溝部を有するカム溝と、
一端側が前記カム溝に挿入されるピンとを備え、
前記カム溝は前記第１移動部材に設けられ前記ピンの他端側は前記第２移動部材に固定され、または、前記カム溝は前記第２移動部材に設けられ前記ピンの他端側は前記第１移動部材に固定されていることを特徴とする請求項１に記載のディスクドライブ。
【請求項４】
前記引き込み完了検出手段は、
前記第２移動部材に回動可能に支持され、先端部が前記搬送アームにより引き込み完了位置まで搬送された前記記録ディスクの周縁に接触し、この接触によって回動する検出アームと、
前記検出アームの回動を検出する回動検出手段とを備えていることを特徴とする請求項１に記載のディスクドライブ。
【請求項５】
前記検出アームは、イジェクト時に前記引き込み完了位置にある前記記録ディスクを押し出すイジェクトアームであることを特徴とする請求項４に記載のディスクドライブ。
【請求項６】
前記引き込み完了検出手段による前記記録ディスクの引き込み完了の検出をきっかけとして、前記記録ディスクのクランプ動作を開始するクランプ機構を備えていることを特徴とする請求項１に記載のディスクドライブ。
【発明の詳細な説明】
【技術分野】
【０００１】
本発明は、例えばＤＶＤドライブ、ＣＤ（Compact Disc）ドライブなどのディスクドライブに関する。
【背景技術】
【０００２】
ＤＶＤ、ＣＤ、ブルーレイディスク、磁気ディスクなどの記録ディスクに対し、情報の読み取りまたは記録を行うディスクドライブは、ディスクプレーヤ、ディスクレコーダ、オーディオシステム、パーソナルコンピュータ、カーナビゲーションシステムなど様々な装置に用いられている。
【０００３】
ディスクドライブには、一般的な光ディスクドライブのように、記録ディスクを着脱することができるタイプと、一般的なハードディスクドライブのように、記録ディスクを着脱することができないタイプがある。さらに、記録ディスクを着脱することができるタイプのディスクドライブには、記録ディスクの着脱方式に関し、スロットイン方式、ドロアー方式、トレー方式などがある。
【０００４】
スロットイン方式のディスクドライブの中には、ローディング時にはローディングアームを用いて記録ディスクをディスクドライブ内へ引き込み、イジェクト時には、イジェクトアームを用いて記録ディスクをディスクドライブの外側に向けて押し出す構造を備えたものがある。
【０００５】
このようなタイプのディスクドライブのローディング時の動作は例えば次の通りである。ユーザーが記録ディスクをディスクスロットに挿入すると、記録ディスクの周縁が各ローディングアームの先端部に設けられたローラーに接触し、これによりローディングアームが押され、ローディングアームがわずかに回動する。これをきっかけにモーターが始動し、ローラーが回転を始める。そして、ローラーの回転により、記録ディスクがディスクドライブ内に引き込まれる。記録ディスクが引き込まれるに従って、ローディングアームがさらに回動し、ローディングアームが開いていく。記録ディスクが引き込み完了位置に近づくと、ディスクドライブの奥（内部後ろ側）に設けられたイジェクトアームの先端部に記録ディスクが接触し、これによりイジェクトアームが押され、イジェクトアームが回動する。記録ディスクが引き込み完了位置、すなわちターンテーブル上のクランプ位置に到達すると、イジェクトアームが所定角度回動し、これにより記録ディスクが引き込み完了位置に到達したことが検出される。この検出に基づいて記録ディスクがクランプされる。そして、クランプ動作完了時に、ローディングアームおよびイジェクトアームが記録ディスクの周縁から離れる。この後モーターが停止し、ローラーの回転が止まる。これにより、記録ディスクはターンテーブル上で高速回転可能な状態になる。
【０００６】
また、このようなタイプのディスクドライブのイジェクト動作は、例えば次の通りである。ディスクドライブ内にクランプされた記録ディスクをイジェクト（排出）する旨の指示が発せられると、モーターが始動し、ローラーが回転を始める。そして、クランプが解除され、イジェクトアームとローディングアームが記録ディスクの周縁に接触する。さらに、イジェクトアームが記録ディスクをディスクスロットに向けて押し出す。そして、ローラーの回転により、記録ディスクがディスクスロットを通じてディスクドライブの外側に向けて搬送される。記録ディスクが搬送されるに従って、ローディングアームが回動し、ローディングアームが閉じていく。記録ディスクがディスクスロット近傍の適切な停止位置に到達すると、モーターが停止し、ローラーの回転が止まる。これにより、記録ディスクは、ディスクスロット近傍の適切な位置に停止する。
【発明の開示】
【発明が解決しようとする課題】
【０００７】
ところで、１個のディスクドライブにおいて、互いに直径の異なる複数種類の記録ディスクを取り扱う場合、記録ディスクの引き込み完了の検出を実現するための構造が複雑になるおそれがある。
【０００８】
例えば、上述したように、記録ディスクが引き込み完了位置に到達したことを、イジェクトアームの回動角を用いて検出する場合には、イジェクトアームの支軸がディスクドライブのシャーシに固定されているとすると、記録ディスクの直径の相違により、記録ディスクが引き込み完了位置に到達したときのイジェクトアームの回動角が異なってしまう。このため、記録ディスクの直径の相違に応じてイジェクトアームの回動角の検出方法を変更するなどの必要が生じるおそれがあり、この結果、記録ディスクの引き込み完了検出の構造が複雑化するおそれがある。
【０００９】
記録ディスクの引き込み完了検出の構造が複雑になると、ディスクドライブの小型化、薄型化、軽量化または製造コストの削減が困難になるおそれがある。
【００１０】
本発明は上記に例示したような問題点に鑑みなされたものであり、本発明の課題は、記録ディスクの引き込み完了検出を簡単な構造により実現することができるディスクドライブを提供することにある。
【課題を解決するための手段】
【００１１】
上記課題を解決するために請求項１に記載のディスクドライブは、互いに直径の異なる複数種類の記録ディスクに対して情報の読み取りまたは記録を行うディスクドライブであって、基板と、前記基板に回動可能に支持され、前記記録ディスクの周縁を狭持し、前記記録ディスクの搬送を行う一対の搬送アームと、前記基板に左右方向に移動可能に支持された第１移動部材と、前記搬送アームの回動を前記第１移動部材の左右方向の移動に変換する第１動き変換機構と、前記基板に前後方向に移動可能に支持された第２移動部材と、前記第１移動部材の左右方向の移動を前記第２移動部材の前後方向の移動に変換する第２動き変換機構と、前記第２移動部材に支持され、前記第２移動部材の移動に伴って前後方向に移動し、前記記録ディスクの引き込み完了を検出する引き込み検出手段とを備え、前記引き込み検出手段は、前記第２移動部材が前側に位置するときには、前記複数種類の記録ディスクのうちの小径の記録ディスクの引き込み完了を検出し、一方、前記第２移動部材が後ろ側に位置するときには、前記複数種類の記録ディスクのうちの大径の記録ディスクの引き込み完了を検出する。
【発明を実施するための最良の形態】
【００１２】
以下、本発明の実施の形態について図面を参照しながら説明する。
【００１３】
（ディスクドライブの全体的な構成および動作）
図１は、本発明のディスクドライブの実施形態を示している。図１中のディスクドライブ１０は、例えばＤＶＤ、ＣＤ、ブルーレイディスクなどの記録ディスクに対し、情報の読み取りまたは記録を行う装置である。ディスクドライブ１０は、記録ディスクを着脱することができるタイプであり、また、記録ディスクの着脱方式についてスロットイン方式を採用している。
【００１４】
ディスクドライブ１０は、互いに直径の異なる複数種類の記録ディスクに対して情報の読み取りまたは記録を行うことができる。例えば、直径が８ｃｍの記録ディスク１（図２参照）と直径が１２ｃｍの記録ディスク２（図７参照）との双方に対して情報の読み取りまたは記録を行うことができる。
【００１５】
図１に示すように、ディスクドライブ１０の外殻は、シャーシ１１およびフロントカバー１２により構成されている。
【００１６】
シャーシ１１は例えば金属材料により形成され、底板を有し、必要に応じて側板、天井板を有している。
【００１７】
フロントカバー１２は例えば樹脂材料により形成されている。フロントカバー１２にはディスクスロット１３が形成されている。ディスクスロット１３は、記録ディスクのローディングおよびイジェクトを行うときに記録ディスクを通過させる溝である。
【００１８】
なお、以下の説明では、図１中の矢示Ｘ方向を左右方向といい、矢示Ｙ方向を前後方向といい、矢示Ｚ方向を上下方向という。
【００１９】
図２は、ディスクドライブ１０の内部を示している。図２に示すように、ディスクドライブ１０は、一対のローディングアーム２１、２１、ラックプレート３１、セレクトプレート３７、イジェクトアーム４１、トリガープレート４６、第１シフトバー５１、第２シフトバー５５、トラバースメカ６１、モーター６５、ピニオン６６、スイッチユニット６９および制御回路７５などを備えている。
【００２０】
ローディングアーム２１、２１は、ディスクドライブ１０前側のディスクスロット１３近傍の位置に左右対称に配置されている。各ローディングアーム２１は、支軸２２を介してシャーシ１１上に回動可能に支持されている。各ローディングアーム２１は例えば樹脂材料または金属材料により形成されている。
【００２１】
各ローディングアーム２１の先端部上面にはローラー２３が回転可能に取り付けられている。ローラー２３はモーター６５により回転する。左側のローラー２３は記録ディスクの左側周縁と接触する。右側のローラー２３は記録ディスクの右側周縁と接触する。
【００２２】
ローディングアーム２１、２１は、ローラー２３、２３を介して記録ディスクを狭持し、記録ディスクの搬送を行う。ローディングアーム２１、２１は、記録ディスクの前進または後退に従って回動し、これによりローディングアーム２１、２１の先端側が開閉する。
【００２３】
各ローディングアーム２１の軸部下面にはギア２４が固定されている。左側のギア２４はピニオン２５を介してラックプレート３１の左側のラック部３１Ａに噛み合っている。右側のギア２４はラックプレート３１の右側のラック部３１Ｂに直接噛み合っている。これらのギア２４、ピニオン２５およびラック部３１Ａ、３１Ｂは、各ローディングアーム２１の回動をラックプレート３１の左右方向の移動に変換する。具体的には、各ローディングアーム２１が開くときの各ローディングアーム２１の回動をラックプレート３１の左方向の移動に変換し、各ローディングアーム２１が閉じるときの各ローディングアーム２１の回動をラックプレート３１の右方向の移動に変換する。
【００２４】
ラックプレート３１は、ディスクドライブ１０前側のディスクスロット１３近傍に位置し、シャーシ１１とローディングアーム２１、２１との間に配置されている。ラックプレート３１は、シャーシ１１に左右方向に移動可能に支持されている。ラックプレート３１は例えば金属材料により形成されている。ラックプレート３１には一対のラック部３１Ａ、３１Ｂが形成されている。
【００２５】
また、ラックプレート３１の右側後部にはスイッチングエッジ３２が形成されている。スイッチングエッジ３２は左右方向に直線状に伸張している。ラックプレート３１の左右方向の移動によりスイッチングエッジ３２が左右方向に移動すると、スイッチングエッジ３２と第１スイッチ７１の切り替えレバーとの接触の有無が変わり、これにより第１スイッチ７１のオン、オフが切り替わる。また、ラックプレート３１の左右方向の移動によりスイッチングエッジ３２が左右方向に移動すると、スイッチングエッジ３２と第２スイッチ７２の切り替えレバーとの接触の有無が変わり、これにより第２スイッチ７２のオン、オフが切り替わる。
【００２６】
また、ラックプレート３１の左側後部にはセレクトカム溝３３が形成されている。セレクトカム溝３３内にはセレクトプレート３７のセレクトピン３８が挿入されている。また、ラックプレート３１の左側後部には２個の退避制御溝、すなわち第１退避制御溝３４および第２退避制御溝３５が形成されている。ラックプレート３１が左方向に移動し、かつ第１シフトバー５１が前方向に移動したときに、第１シフトバー５１の退避制御ピン５３が退避制御溝３４、３５のいずれかに進入する。
【００２７】
セレクトプレート３７は、ディスクドライブ１０左側に配置されている。セレクトプレート３７は、シャーシ１１に固定されたモーターブランケット（図示せず）に前後方向に移動可能に支持されている。これにより、セレクトプレート３７はシャーシ１１に対し前後方向に移動可能である。セレクトプレート３７は例えば金属材料により形成されている。ディスクドライブ１０の左側には、いくつかの部材が上下方向に重なり合っている。セレクトプレート３７は、概ね、ラックプレート３１、トリガープレート４６および第２シフトバー５５の下方に位置し、ピニオン６６の上方に位置する。
【００２８】
セレクトプレート３７の前側上面にはセレクトピン３８が設けられている。セレクトピン３８の一端側は上向きに伸び、ラックプレート３１のセレクトカム溝３３に挿入され、他端側はセレクトプレート３７に固定されている。セレクトピン３８およびセレクトカム溝３３は、ラックプレート３１の左右方向の移動をセレクトプレート３７の前後方向の移動に変換する。具体的には、セレクトピン３８およびセレクトカム溝３３は、ラックプレート３１の左方向の移動をセレクトプレート３７の後ろ方向の移動に変換し、ラックプレート３１の右方向の移動をセレクトプレート３７の前方向の移動に変換する。
【００２９】
また、セレクトプレート３７の後ろ側上面には、イジェクトアーム４１の回動を規制するストッパー３９が設けられている。ストッパー３９の上端側は上向きに伸び、下端側はセレクトプレート３７に形成された貫通溝９１（図１２または図１３参照）内を通過して、図示しないモーターブランケットに固定されている。
【００３０】
イジェクトアーム４１は、ローディング時には一端側が記録ディスクの後ろ側周縁に接触することにより記録ディスクの引き込み完了を検出し、イジェクト時には一端側が記録ディスクの後ろ側周縁を押すことにより記録ディスクを前方向に移動させる。イジェクトアーム４１は、セレクトプレート３７の後部上面上に回動可能に支持されている。イジェクトアーム４１は例えば金属材料または樹脂材料により形成されている。イジェクトアーム４１は支軸４２を中心に回動する。イジェクトアーム４１の支軸４２はセレクトプレート３７の前後方向の移動に伴って前後方向に移動する。イジェクトアーム４１の一端側上面には接触部材４３が取り付けられている。接触部材４３は記録ディスクの周縁と接触する。
【００３１】
また、イジェクトアーム４１の他端側には押動制御部４４が形成されている。押動制御部４４は、イジェクトアーム４１が後ろ方向に回動すると前方向に移動し、トリガープレート４６のトリガーピン４７を押し、これによりトリガープレート４６を前方向に押し動かす。
【００３２】
トリガープレート４６は、セレクトプレート３７の後部上方に位置し、シャーシ１１に固定されたモーターブランケット（図示せず）に前後方向に移動可能に取り付けられている。トリガープレート４６は例えば金属材料により形成されている。トリガープレート４６は、セレクトプレート３７上方でセレクトプレート３７に対して前後方向に移動することができる。また、トリガープレート４６は、セレクトプレート３７に支軸４２を介して回動可能に取り付けられたイジェクトアーム４１とコイルばね４９を介して接続されている。このため、トリガープレート４６はセレクトプレート３７の前後方向の移動に伴って、イジェクトアーム４１といっしょに前後方向に移動する。
【００３３】
トリガープレート４６は、セレクトプレート３７およびイジェクトアーム４１の上方に覆い被さるように配置されている。もっとも、トリガープレート４６の前側右縁部に形成されたラック部４６Ａは、トリガープレート４６からセレクトプレート３７の右縁近傍を降りてセレクトプレート３７の下方に潜り込んでいる。ラック部４６Ａは、トリガープレート４６が前進したときに、セレクトプレート３７の下方に配置されたピニオン６６と噛み合う。
【００３４】
トリガープレート４６の後ろ側下面にはトリガーピン４７が設けられている。トリガーピン４７の一端側は下向きに伸び、他端側はトリガープレート４６の下面に固定されている。トリガーピン４７の一端側は、イジェクトアーム４１の押動制御部４４と接触可能な位置まで伸びている。
【００３５】
また、トリガープレート４６の前側右縁部には第１伝達ピン４８が設けられている。伝達ピン４８の一端側は右方向に伸び、第１シフトバー５１の伝達溝５１Ａに挿入されている。伝達ピン４８の他端側はトリガープレート４６の右縁部に固定されている。
【００３６】
イジェクトアーム４１とトリガープレート４６との間にはコイルばね４９が取り付けられている。コイルばね４９は、イジェクトアーム４１の他端側を前方向に引っ張っている。
【００３７】
第１シフトバー５１は、シャーシ１１上に前後方向に移動可能に支持されている。シフトバー５１は例えば樹脂材料により形成され、例えば金属プレートであるラックプレート３１やセレクトプレート３７よりも肉厚である。
【００３８】
第１シフトバー５１の左側側面には伝達溝５１Ａが形成されている。伝達溝５１Ａは、前後方向にシャーシの底板に対しほぼ平行に伸張している。伝達溝５１Ａにはトリガープレート４６の伝達ピン４８が挿入されている。また、シフトバー５１の前側上面には第２伝達ピン５２が設けられている。伝達ピン５２の一端側は上方に伸び、第２シフトバー５５の伝達スロット５５Ａに挿入されており、他端側はシフトバー５１の上面に固定されている。また、第１シフトバー５１の前側上面には退避制御ピン５３が設けられている。退避制御ピン５３の一端側はラックプレート３１の退避制御溝３４、３５と接触可能な位置まで上方に伸び、他端側はシフトバー５１の上面に固定されている。退避制御ピン５３は、ラックプレート３１が左方向に移動し、かつ第１シフトバー５１が前方向に移動したときに、ラックプレート３１の退避制御溝３４、３５のいずれかに進入する。退避制御ピン５３および退避制御溝３４、３５は、クランプ時に、ローディングの過程で左方向に移動したラックプレート３１をさらに左方向に移動させる。
【００３９】
第２シフトバー５５は、シャーシ１１上に左右方向に移動可能に支持されている。シフトバー５５は例えば樹脂材料により形成され、例えば金属プレートであるラックプレート３１やセレクトプレート３７よりも肉厚である。
【００４０】
第２シフトバー５５の左側端部には伝達スロット５５Ａが形成されている。伝達スロット５５Ａには第１シフトバー５１の第２伝達ピン５２が挿入されている。また、第２シフトバー５５の後ろ側側面には昇降溝５５Ｂが形成されている。昇降溝５５Ｂは、シフトバー５５の左右方向の移動によりトラバースメカ６１を昇降させるためのカム溝であり、右端が低位置にあり、左端が高位置にある。昇降溝５５Ｂにはトラバースメカ６１に取り付けられた昇降ピン６４が挿入されている。
【００４１】
また、第２シフトバー５５の右側端部にはスイッチングスティック５６が形成されている。スイッチングスティック５６は左右方向に直線状に伸張している。シフトバー５５の左右方向の移動によりスイッチングスティック５６が左右方向に移動すると、スイッチングスティック５６と第３スイッチ７３の切り替えレバーとの接触の有無が変わり、これにより第３スイッチ７３のオン、オフが切り替わる。
【００４２】
トラバースメカ６１には、ターンテーブル６２および光ピックアップ６３などが設けられている。モーター６５は、ピニオン６６を回転駆動すると共に、各ローディングアーム２１のローラー２３を回転駆動する。ピニオン６６は、セレクトプレート３７の下方に配置されている。上述したようにセレクトプレート３７およびトリガープレート４６は前後方向に移動するが、ピニオン６６の軸は不動である。ピニオン６６は、クランプ動作時にモーター６５の動力をトリガープレート４６に伝達し、第２シフトバー５５、第１シフトバー５１、トラバースメカ６１などを移動させる。
【００４３】
なお、トリガープレート４６、第１シフトバー５１、第２シフトバー５５、昇降ピン６４、モーター６５、ピニオン６６、ターンテーブル６２、ターンテーブル６２に対向するようにターンテーブル６２の上方に設けられたクランパー（図示せず）などによりクランプ機構が構成されている。
【００４４】
スイッチユニット６９は、ディスクドライブ１０の右側に配置されている。スイッチユニット６９はスイッチ基板７０、第１スイッチ７１、第２スイッチ７２、第３スイッチ７３および配線を備えている。スイッチ７１ないし７３および配線は、スイッチ基板７０上に設けられている。
【００４５】
各スイッチ７１、７２、７３には切り替えレバーが設けられている。切り替えレバーを押し込むとスイッチがオンになる。切り替えレバーを離すと切り替えレバーが自動的に起きあがり、スイッチがオフになる。第１スイッチ７１および第２スイッチ７２の切り替えレバーは、ラックプレート３１のスイッチングエッジ３２が接触することにより押し込まれる。すなわち、第１スイッチ７１および第２スイッチ７２は、スイッチングエッジ３２との接触の有無により、オン、オフが切り替わる。一方、第３スイッチ７３の切り替えレバーは、第２シフトバー５５のスイッチングスティック５６が接触することにより押し込まれる。すなわち、第３スイッチ７３は、スイッチングスティック５６との接触の有無により、オン、オフが切り替わる。
【００４６】
制御回路７５は、スイッチ７１ないし７３のオン・オフ状態などに基づいて、ローディング時、クランプ時およびイジェクト時におけるモーター６５の駆動を制御する。具体的には、制御回路７５は、スイッチ７１ないし７３からそれぞれ出力される出力信号を受け取る。そして、制御回路７５は、モーター６５を駆動するための駆動信号をモーター６５に出力する。
【００４７】
さらに、制御回路７５には、ディスク識別回路７６が含まれている。ディスク識別回路７６は、記録ディスクの位置がクランプ位置であるときの第２スイッチ７２のオン・オフ状態を用いて、この記録ディスクの種類を識別する。ディスク識別回路７６は、記録ディスクの種類の識別結果を示す識別信号を出力する。この識別信号は制御回路７５においてモーター６５の駆動制御に用いられる。
【００４８】
直径８ｃｍの記録ディスク１がディスクドライブ１０に挿入されたとき、ディスクドライブ１０は例えば次のように動作する。
【００４９】
図３に示すように、記録ディスク１がディスクドライブ１０に挿入されると、記録ディスク１の周縁が各ローディングアーム２１のローラー２３に接触し、各ローディングアーム２１を後ろ方向に押す。これにより、各ローディングアーム２１が開く。各ローディングアーム２１が開くと、ギア２４、ピニオン２５およびラック部３１Ａ、３１Ｂの噛合により、ラックプレート３１が左方向に移動する。ラックプレート３１が移動すると、スイッチングエッジ３２が第１スイッチ７１の切り替えレバーから離れ、第１スイッチ７１がオンからオフに切り替わる。これに応じて制御回路７５はモーター６５の駆動を開始させる。これにより、各ローディングアーム２１のローラー２３が回転を始め、ローラー２３の回転により記録ディスク１がディスクドライブ１０の内部へ引き込まれる。
【００５０】
記録ディスク１が引き込まれ、記録ディスク１が後ろ方向に搬送されるにしたがって、各ローディングアーム２１がさらに開き、ラックプレート３１が左方向にさらに移動する。やがて記録ディスク１の後ろ側周縁がイジェクトアーム４１の接触部材４３に接触し、イジェクトアーム４１の一端側を後退させる。イジェクトアーム４１の一端側が後退すると、イジェクトアーム４１の他端側が前進し、イジェクトアーム４１の押動制御部４４がトリガーピン４７を押し、トリガープレート４６を前進させる。
【００５１】
図４に示すように、記録ディスク１がクランプ位置まで搬送され、これによりイジェクトアーム４１の一端側が所定の位置まで後退すると、押動制御部４４の前進によりトリガープレート４６が所定の位置まで前進する。トリガープレート４６が所定の位置まで前進すると、トリガープレート４６のラック部４６Ａがピニオン６６と噛み合う。ピニオン６６は、モーター６５が駆動している間は常に回転している。トリガープレート４６のラック部４６Ａがピニオン６６と噛み合うと、ピニオン６６の回転により、トリガープレート４６がさらに前進する。すなわち、トリガープレート４６のラック部４６Ａがピニオン６６と噛み合った瞬間、トリガープレート４６を前進させる動力源が、押動制御部４４の押圧力からピニオン６６の回転に切り替わる。
【００５２】
図５に示すように、トリガープレート４６が前進し、トリガープレート４６の伝達ピン４８が第１シフトバー５１の伝達溝５１Ａ中のストッパー（例えば伝達溝５１Ａ前端内壁）に当たると、第１シフトバー５１も前進する。第１シフトバー５１が前進すると、第１シフトバー５１の伝達ピン５２により第２シフトバー５５が右方向に移動する。第２シフトバー５５が右方向に移動すると、スイッチングスティック５６も右方向に移動する。これにより、スイッチングスティック５６の右端が第３スイッチ７３の切り替えレバーに接触し、第３スイッチ７３がオフからオンに切り替わる。第３スイッチ７３がオフからオンに切り替わると、制御回路７５はモーター６５の駆動を停止する。これにより、各ローディングアーム２１のローラー２３の回転およびピニオン６６の回転が止まる。
【００５３】
また、第２シフトバー５５が右方向に移動すると、第２シフトバー５５の昇降溝５５Ｂに挿入された昇降ピン６４が持ち上がり、これに伴ってトラバースメカ６１が上昇する。これにより、記録ディスク１がターンテーブル６２とターンテーブル６２の上方に配置されたクランパー（図示せず）との間にクランプされる。
【００５４】
また、このとき、第１シフトバー５１の前進により、第１シフトバー５１の退避制御ピン５３がラックプレート３１の第１退避制御溝３４に進入する。そして、退避制御ピン５３が第１退避制御溝３４の傾斜縁を押すことにより、ラックプレート３１が左方向にさらに移動する。これにより、各ローディングアーム２１がさらに開き、各ローディングアーム２１のローラー２３が記録ディスク１の周縁から離れ、各ローディングアーム２１のローラー２３と記録ディスク１の周縁との間に適切なクリアランスが確保される。
【００５５】
さらに、退避制御ピン５３の第１退避制御溝３４への進入によりラックプレート３１が左方向に移動すると、セレクトプレート３７のセレクトピン３８がセレクトカム溝３３の左右方向中央付近に形成された傾斜溝部の一部によりわずかに後ろ方向に押され、セレクトプレート３７が小さく後退する。セレクトプレート３７が小さく後退すると、イジェクトアーム４１の支軸４２も小さく後退する。このとき、イジェクトアーム４１の他端側は、トリガープレート４６の前進により伸張したコイルばね４９により引っ張られている。このため、イジェクトアーム４１は反時計回りに回動し、イジェクトアーム４１の一端側が後退し、イジェクトアーム４１の接触部材４３が記録ディスク１の周縁から離れる。これにより、イジェクトアーム４１の接触部材４３と記録ディスク１の周縁との間に適切なクリアランスが確保される。
【００５６】
図５に示すように、記録ディスク１のクランプが完了し、イジェクトアーム４１および各ローディングアーム２１の退避が完了すると、図示しないスピンドルモーター６５が駆動を開始し、ターンテーブル６２が回転し、記録ディスク１が回転する。そして、光ピックアップ６３により記録ディスク１に対し、情報の読み取りまたは記録が行われる。
【００５７】
記録ディスク１に対する情報の読み取りまたは書き込みが終了し、記録ディスク１をイジェクトする旨の指示が与えられたときには、この指示に応じてモーター６５が始動する。このときのモーター６５の回転方向は、ローディング時とは逆の方向である。そして、ピニオン６６が逆回転を始め、これにより、第１シフトバー５１およびトリガープレート４６が後退する。さらに、第２シフトバー５５が左方向に移動し、スイッチングスティック５６が左方向に移動し、スイッチングスティック５６が第３スイッチ７３の切り替えレバーから離れ、第３スイッチ７３がオンからオフに切り替わる。さらに、トラバースメカ６１が下降する。さらに、第１シフトバー５１の退避制御ピン５３がラックプレート３１の第１退避制御溝３４から退出し、ラックプレート３１が図示しないばねの力により右方向に移動する。これにより各ローディングアーム２１が閉じ、各ローディングアーム２１のローラー２３が記録ディスク１の周縁に接触する。さらに、トリガープレート４６の後退により、イジェクトアーム４１が時計回りに回動し、イジェクトアーム４１の一端側が前進し、接触部材４３が記録ディスク１の周縁に接触する。また、モーター６５の回転開始により各ローラー２３が逆回転を開始する。
【００５８】
そして、記録ディスク１は、イジェクトアーム４１の接触部材４３により押され、さらに各ローディングアーム２１のローラー２３の逆回転により前方向に搬送される。
【００５９】
図６に示すように、記録ディスク１が前方向に搬送されるにしたがって、各ローディングアーム２１の先端側が閉じ、ラックプレート３１が右方向に移動する。そして、ラックプレート３１のスイッチングエッジ３２が第１スイッチ７１の切り替えレバーに接触し、第１スイッチ７１がオフからオンに切り替わる。第１スイッチ７１がオフからオンに切り替わると、制御回路７５はモーター６５の駆動を停止させる。これにより、各ローディングアーム２１のローラー２３の回転が停止し、記録ディスク１がイジェクト完了位置に停止する。
【００６０】
イジェクト完了位置は、例えば、いずれの記録ディスクにおいても、その表面面積のおよそ５分の３ないし４分の３程度に相当する部分がディスクスロット１３から外に露出し、残りの部分がディスクドライブ１０内に留まるような位置であることが望ましい。これにより、イジェクト時に、記録ディスクがディスクスロット１３から外へ脱落するのを防止することができ、かつ、ユーザーがイジェクトされた記録ディスクを手で取り出しやすくすることができる。
【００６１】
その後、イジェクト完了位置に停止している記録ディスク１をユーザーがディスクドライブ１０内に再び押し込むと、これにより各ローディングアーム２１が開き、ラックプレート３１が左方向に移動し、第１スイッチ７１がオンからオフに切り替わり、モーター６５の駆動が開始される。これにより、各ローディングアーム２１のローラー２３の回転が始まり、記録ディスク１がディスクドライブ１０内に再び引き込まれる。
【００６２】
直径１２ｃｍの記録ディスク２がディスクドライブ１０に挿入されたとき、ディスクドライブ１０は例えば次のように動作する。
【００６３】
図７に示すように、記録ディスク２がディスクドライブ１０に挿入されると、記録ディスク２の周縁が各ローディングアーム２１のローラー２３に接触し、各ローディングアーム２１を後ろ方向に押す。これにより各ローディングアーム２１が開く。各ローディングアーム２１が開くと、ギア２４、ピニオン２５およびラック部３１Ａ、３１Ｂの噛合により、ラックプレート３１が左方向に移動する。ラックプレート３１が移動すると、スイッチングエッジ３２が第１スイッチ７１の切り替えレバーから離れ、第１スイッチ７１がオンからオフに切り替わる。これにより、制御回路７５はモーター６５の駆動を開始させる。これにより、各ローディングアーム２１のローラー２３が回転を始め、ローラー２３の回転により記録ディスク２がディスクドライブ１０の内部へ引き込まれる。
【００６４】
図８に示すように、記録ディスク２が引き込まれ、記録ディスク２が後ろ方向に搬送されるにしたがって、ローディングアーム２１がさらに開き、ラックプレート３１が左方向にさらに移動する。そして、スイッチングエッジ３２が第２スイッチ７２の切り替えレバーから離れ、第２スイッチ７２がオンからオフに切り替わる。制御回路７５は、このときの第２スイッチ７２の切り替わりにより動作を変更せず、それゆえ、モーター６５は回転を続け、記録ディスク２の搬送が続く。
【００６５】
直径１２ｃｍの記録ディスク２が搬送されるときのローディングアーム２１、２１の開きは、直径８ｃｍの記録ディスク１が搬送されるときのローディングアーム２１、２１の開きよりも大きい。この結果、直径１２ｃｍの記録ディスク２が搬送されるときのラックプレート３１の移動量は、直径８ｃｍの記録ディスク１が搬送されるときのラックプレート３１の移動量よりも大きい。このようにラックプレート３１が左方向に大きく移動すると、ラックプレート３１のセレクトカム溝３３に挿入されているセレクトピン３８が、セレクトカム溝３３の左右方向中央付近に形成された傾斜溝部の全部により後ろ方向に大きく押され、セレクトプレート３７が大きく後退する。これにより、イジェクトアーム４１の支軸４２が大きく後退し、トリガープレート４６も大きく後退する。
【００６６】
記録ディスク２の搬送が続くと、やがて記録ディスク２の後ろ側周縁がイジェクトアーム４１の接触部材４３に接触し、イジェクトアーム４１の一端側を後退させる。イジェクトアーム４１の一端側が後退すると、イジェクトアーム４１の他端側が前進し、イジェクトアーム４１の押動制御部４４がトリガーピン４７を押し、トリガープレート４６を前進させる。
【００６７】
図９に示すように、記録ディスク２がクランプ位置まで搬送され、これによりイジェクトアーム４１の一端側が所定の位置まで後退すると、押動制御部４４の前進によりトリガープレート４６が所定の位置まで前進する。トリガープレート４６が所定の位置まで前進すると、トリガープレート４６のラック部４６Ａがピニオン６６と噛み合う。トリガープレート４６のラック部４６Ａがピニオン６６と噛み合うと、ピニオン６６の回転により、トリガープレート４６がさらに前進する。
【００６８】
図１０に示すように、トリガープレート４６が前進し、トリガープレート４６の伝達ピン４８が例えば第１シフトバー５１の伝達溝５１Ａの前端内壁に当たると、第１シフトバー５１も前進する。第１シフトバー５１が前進すると、第１シフトバー５１の伝達ピン５２により第２シフトバー５５が右方向に移動する。第２シフトバー５５が右方向に移動すると、スイッチングスティック５６も右方向に移動する。これにより、スイッチングスティック５６の右端が第３スイッチ７３の切り替えレバーに接触し、第３スイッチ７３がオフからオンに切り替わる。第３スイッチ７３がオフからオンに切り替わると、制御回路７５はモーター６５の駆動を停止する。これにより、各ローディングアーム２１のローラー２３の回転およびピニオン６６の回転が止まる。
【００６９】
また、第２シフトバー５５が右方向に移動すると、第２シフトバー５５の昇降溝５５Ｂに挿入された昇降ピン６４が持ち上がり、これに伴ってトラバースメカ６１が上昇する。これにより、記録ディスク２がターンテーブル６２とターンテーブル６２の上方に配置されたクランパー（図示せず）との間にクランプされる。
【００７０】
また、このとき、第１シフトバー５１の前進により、第１シフトバー５１の退避制御ピン５３がラックプレート３１の第２退避制御溝３５に進入する。そして、退避制御ピン５３が第２退避制御溝３５の傾斜縁を押すことにより、ラックプレート３１が左方向にさらに移動する。これにより、各ローディングアーム２１がさらに開き、各ローディングアーム２１のローラー２３が記録ディスク２の周縁から離れ、各ローディングアーム２１のローラー２３と記録ディスク２の周縁との間に適切なクリアランスが確保される。
【００７１】
さらに、退避制御ピン５３の第２退避制御溝３５への進入によりラックプレート３１が左方向に移動すると、セレクトプレート３７のセレクトピン３８が、セレクトカム溝３３の右端部に形成された溝部により後ろ方向にわずかに押され、セレクトプレート３７が小さく後退する。セレクトプレート３７が小さく後退すると、イジェクトアーム４１の支軸４２も小さく後退する。このとき、イジェクトアーム４１の他端側は、トリガープレート４６の前進により伸張したコイルばね４９により引っ張られている。このため、イジェクトアーム４１は反時計回りに回動し、イジェクトアーム４１の一端側が後退し、イジェクトアーム４１の接触部材４３が記録ディスク２の周縁から離れる。これにより、イジェクトアーム４１の接触部材４３と記録ディスク２の周縁との間に適切なクリアランスが確保される。
【００７２】
図１０に示すように、記録ディスク２のクランプが完了し、イジェクトアーム４１および各ローディングアーム２１の退避が完了すると、図示しないスピンドルモーター６５が駆動を開始し、ターンテーブル６２が回転し、記録ディスク２が回転する。そして、光ピックアップ６３により記録ディスク２に対し、情報の読み取りまたは記録が行われる。
【００７３】
記録ディスク２に対する情報の読み取りまたは書き込みが終了し、記録ディスク２をイジェクトする旨の指示が与えられたときには、この指示に応じてモーター６５が始動する。このときのモーター６５の回転方向は、ローディング時とは逆の方向である。そして、ピニオン６６が逆回転を始め、これにより、第１シフトバー５１およびトリガープレート４６が後退する。さらに、第２シフトバー５５が左方向に移動し、スイッチングスティック５６が左方向に移動し、スイッチングスティック５６が第３スイッチ７３の切り替えレバーから離れ、第３スイッチ７３がオンからオフに切り替わる。さらに、トラバースメカ６１が下降する。さらに、第１シフトバー５１の退避制御ピン５３がラックプレート３１の第２退避制御溝３５から退出し、ラックプレート３１が図示しないばねの力により右方向に移動する。これにより各ローディングアーム２１が閉じ、各ローディングアーム２１のローラー２３が記録ディスク２の周縁に接触する。さらに、トリガープレート４６の後退により、イジェクトアーム４１が時計回りに回動し、イジェクトアーム４１の一端側が前進し、接触部材４３が記録ディスク２の周縁に接触する。また、モーター６５の回転開始により各ローラー２３が逆回転を開始する。
【００７４】
そして、記録ディスク２は、イジェクトアーム４１による押され、さらに各ローディングアーム２１のローラー２３の逆回転により前方向に搬送される。
【００７５】
図１１に示すように、記録ディスク２が前方向に搬送されるにしたがって、各ローディングアーム２１の先端側が閉じ、ラックプレート３１が右方向に移動する。そして、ラックプレート３１のスイッチングエッジ３２が第２スイッチ７２の切り替えレバーに接触し、第２スイッチ７２がオフからオンに切り替わる。第２スイッチ７２がオフからオンに切り替わると、制御回路７５はモーター６５の駆動を停止させる。これにより、各ローディングアーム２１のローラー２３の回転が停止し、記録ディスク２がイジェクト完了位置に停止する。
【００７６】
その後、イジェクト完了位置に停止している記録ディスク２をユーザーがディスクドライブ１０内に再び押し込むと、これにより各ローディングアーム２１が開き、ラックプレート３１が左方向に移動し、第２スイッチ７２がオンからオフに切り替わり、モーター６５の駆動が開始される。これにより、各ローディングアーム２１のローラー２３の回転により、記録ディスク２がディスクドライブ１０内に再び引き込まれる。
【００７７】
（引き込み完了の検出）
図１２は、直径８ｃｍの記録ディスク１が引き込み完了位置に到達したときのラックプレート３１、セレクトプレート３７、イジェクトアーム４１およびトリガープレート４６などの状態を拡大して示している。図１３は、直径１２ｃｍの記録ディスク２が引き込み完了位置に到達したときのラックプレート３１、セレクトプレート３７、イジェクトアーム４１およびトリガープレート４６などの状態を拡大して示している。以下、図１２および図１３を参照しながら、イジェクトアーム４１およびトリガープレート４６などによる記録ディスクの引き込み完了検出について説明する。
【００７８】
まず、イジェクトアーム４１およびトリガープレート４６による引き込み完了検出の基本的動作について説明する。イジェクトアーム４１およびトリガープレート４６による引き込み完了検出の基本的動作は、ディスクドライブ１０に挿入された記録ディスクが直径８ｃｍの記録ディスク１であると直径１２ｃｍの記録ディスク２であると同じである。そこで、直径８ｃｍの記録ディスク１がディスクドライブ１０に挿入された場合を例にあげ、イジェクトアーム４１およびトリガープレート４６による引き込み完了検出の基本的動作について説明する。
【００７９】
図１２に示すように、記録ディスク１のローディング時において、記録ディスク１が各ローディングアーム２１によって搬送され、記録ディスク１がクランプ位置、すなわち引き込み完了位置に到達したとき、記録ディスク１の周縁に接触しているイジェクトアーム４１の先端部（イジェクトアームの一端側に取り付けられた接触部材４３）は、記録ディスク１に押されて位置Ｐ１まで後退する。このとき、イジェクトアーム４１の先端部に対し支軸４２を挟んで反対側に位置する押動制御部４４が位置Ｐ２まで前進する。これにより、トリガープレート４６のトリガーピン４７が押動制御部４４に前方向に押され、この結果、トリガープレート４６のラック部４６Ａとピニオン６６との間に噛み合いが生じる。そして、ラック部４６Ａとピニオン６６との間に噛み合いが生じたことをきっかけにして、クランプ動作が開始される。すなわち、第１シフトバー５１の前進、第２シフトバー５５の右方向の移動、トラバースメカ６１の上昇などが開始される（図４ないし図５参照）。
【００８０】
このように、イジェクトアーム４１は、引き込み完了位置まで搬送された記録ディスク１の周縁に接触して反時計回りに所定角度回動することにより、記録ディスク１の引き込み完了を検出する。
【００８１】
また、トリガープレート４６は、イジェクトアーム４１の押動制御部４４によって前方向に所定距離押し動かされ、所定の位置でラック部４６Ａをピニオン６６に噛み合わせることにより、イジェクトアーム４１の所定角度の回動を検出する。これにより、トリガープレート４６は、イジェクトアーム４１による引き込み完了の検出結果に基づいて、クランプ動作開始のきっかけを作り出す。
【００８２】
次に、上述した、イジェクトアーム４１およびトリガープレート４６による引き込み完了検出の基本的動作を、直径８ｃｍの記録ディスク１と直径１２ｃｍの記録ディスク２とに対し、同等に行わせるための構成およびその動作について説明する。
【００８３】
図１２に示すように、ラックプレート３１の左側後部に形成されたセレクトカム溝３３は、前後方向における位置が互いに異なる２個の溝部３３Ａ、３３Ｂを有している。
【００８４】
直径８ｃｍの記録ディスク１が引き込み完了位置に搬送されるまでの間における各ローディングアーム２１の最大回動角は、直径１２ｃｍの記録ディスク２が引き込み完了位置に搬送されるまでの間における各ローディングアーム２１の最大回動角よりも小さい。それゆえ、直径８ｃｍの記録ディスク１が引き込み完了位置に搬送されるまでの間におけるラックプレート３１の左方向の移動量は、直径１２ｃｍの記録ディスク２が引き込み完了位置に搬送されるまでの間におけるラックプレート３１の左方向の移動量よりも少ない。したがって、直径８ｃｍの記録ディスク１が引き込み完了位置に搬送されるまでの間、セレクトプレート３７のセレクトピン３８は、セレクトカム溝３３の溝部３３Ａ内に位置したままであり、この間にセレクトピン３８がセレクトカム溝の溝部３３Ｂ内に移動することはない。つまり、直径８ｃｍの記録ディスク１が引き込み完了位置に搬送されるまでの間におけるラックプレート３１の移動量を考慮して、この間にセレクトピン３８がセレクトカム溝３３の溝部３３Ｂ内に移動することがないようにセレクトカム溝３３の形状などが設定されている。
【００８５】
直径８ｃｍの記録ディスク１が引き込み完了位置に搬送されるまでの間、セレクトピン３８はセレクトカム溝３３の溝部３３Ａ内に位置したままなので、この間、セレクトプレート３７は、図１２に示すように前側に位置した状態を維持する。この結果、直径８ｃｍの記録ディスク１が引き込み完了位置に搬送されるまでの間、イジェクトアーム４１の支軸４２は位置Ｐ３に停滞している。
【００８６】
イジェクトアーム４１の支軸４２が位置Ｐ３にある状態で、直径８ｃｍの記録ディスク１が引き込み完了位置に到達すると、図１２に示すように、イジェクトアーム４１の先端部が位置Ｐ１になり、押動制御部４４が位置Ｐ２になる。これにより、上述したように直径８ｃｍの記録ディスク１の引き込み完了が検出される。
【００８７】
一方、図１３に示すように、直径１２ｃｍの記録ディスク２が引き込み完了位置に搬送されたときの各ローディングアーム２１の回動角は、直径８ｃｍの記録ディスク１が引き込み完了位置に搬送されるまでの間における各ローディングアーム２１の最大回動角よりも大きい。それゆえ、直径１２ｃｍの記録ディスク２が引き込み完了位置に搬送されたときのラックプレート３１の左方向の移動量は、直径８ｃｍの記録ディスク１が引き込み完了位置に搬送されるまでの間におけるラックプレート３１の左方向の移動量よりも多い。したがって、直径１２ｃｍの記録ディスク２が引き込み完了位置に搬送されたとき、セレクトプレート３７のセレクトピン３８は、セレクトカム溝３３の溝部３３Ａ内から溝部３３Ｂ内に移動している。つまり、直径１２ｃｍの記録ディスク２が引き込み完了位置に搬送されたときのラックプレート３１の移動量を考慮して、このときにセレクトピン３８がセレクトカム溝３３の溝部３３Ｂ内に移動するようにセレクトカム溝３３の形状などが設定されている。
【００８８】
直径１２ｃｍの記録ディスク２が引き込み完了位置に搬送されたとき、セレクトピン３８はセレクトカム溝３３の溝部３３Ｂ内に位置するので、このとき、セレクトプレート３７は、図１３に示すように後ろ側に移動している。すなわち、セレクトピン３８がセレクトカム溝３３の溝部３３Ａ内から溝部３３Ｂ内に移動することにより、セレクトピン３８がセレクトカム溝３３に押され、セレクトプレート３７が後ろ方向に所定距離移動する。この結果、直径１２ｃｍの記録ディスク２が引き込み完了位置に搬送されたとき、イジェクトアーム４１の支軸４２は位置Ｐ３から位置Ｐ５に後退している。
【００８９】
イジェクトアーム４１の支軸４２が位置Ｐ５に後退した状態で、直径１２ｃｍの記録ディスク２が引き込み完了位置に到達すると、図１３に示すように、イジェクトアーム４１の先端部が位置Ｐ６まで後退する。これに連動して、イジェクトアーム４１の押動制御部４４が位置Ｐ２まで前進し、トリガープレート４６を所定距離前進させ、ラック部４６とピニオン６６との噛み合いを生じさせる。このようにして、直径１２ｃｍの記録ディスク２の引き込み完了が検出される。
【００９０】
ここで、着目すべき点は、直径８ｃｍの記録ディスク１が挿入されたときでも、直径１２ｃｍの記録ディスク２が挿入されたときでも、押動制御部４４が位置Ｐ２に到達したことをもって、それぞれの記録ディスクの引き込み完了検出が等しく実現している点である。すなわち、直径８ｃｍの記録ディスク１が挿入されたときには、セレクトプレート３７を前側に配置し、イジェクトアーム４１の支軸４２を位置Ｐ３に配置し、記録ディスク１の引き込み完了を検出する。一方、直径１２ｃｍの記録ディスク２が挿入されたときには、セレクトプレート３７を後ろ側に移動させ、イジェクトアーム４１の支軸４２を位置Ｐ５に移動させ、記録ディスク２の引き込み完了を検出する。直径８ｃｍの記録ディスク１が挿入されたときと直径１２ｃｍの記録ディスク２が挿入されたときとで、支軸を位置Ｐ３と位置Ｐ５との間で移動させることにより、記録ディスクの直径の相違にかかわらず、引き込み完了検出時の押動制御部４４の位置は位置Ｐ２である。それゆえ、記録ディスクの直径の相違にかかわらず、引き込み完了検出時のトリガープレート４６の挙動（つまりラック部４６部とピニオン６６との間の噛み合いを生じさせるための動き）は同じである。
【００９１】
以上説明した通り、ディスクドライブ１０では、各ローディングアーム２１の回動をラックプレート３１の左右方向の移動に変換し、ラックプレート３１の移動をセレクトプレート３７の前後方向の移動に変換し、イジェクトアーム４１の支軸４２の位置を、直径８ｃｍの記録ディスク１の挿入時は位置Ｐ３とし、直径１２ｃｍの記録ディスク２の挿入時は位置Ｐ５とする。これにより、直径８ｃｍの記録ディスク１の引き込み完了検出と、直径１２ｃｍの記録ディスク２の引き込み完了検出とを、同等の検出方法、同等の構造および同等の動作で実現することができ、それゆえ、直径の異なる２種類の記録ディスクの引き込み完了検出を、単一の検出方法、単一の構造および一通りの動作で実現することができる。
【００９２】
したがって、互いに直径の異なる記録ディスクの引き込み完了検出を簡単な構造により実現することができる。よって、ディスクドライブの部品点数の削減、小型化、薄型化、軽量化および製造コストの削減を実現することができる。
【００９３】
なお、上述した説明では、互いに直径が異なる２種類の記録ディスク１、２を取り扱うディスクドライブを例にあげたが、本発明はこれに限られない。本発明は、互いに直径の異なる３種類以上の記録ディスクを取り扱うディスクドライブにも適用することができる。この場合には、それぞれ前後方向における位置が異なる３種類以上の溝部を有するセレクトカム溝をラックプレートに形成し、イジェクトアームの支軸を３個以上の位置に移動させるようにする。
【００９４】
また、上述した実施形態では、セレクトカム溝３３をラックプレート３１に形成し、セレクトピン３８をセレクトプレート３７に設ける場合を例にあげたが、本発明はこれに限られない。セレクトカム溝をセレクトプレートに形成し、セレクトピンをラックプレートに設けてよい。
【００９５】
また、上述した実施形態では、セレクトカム溝３３およびセレクトピン３８により、ラックプレート３１の左右方向の移動をセレクトプレート３７の前後方向の移動に変換する場合を例にあげたが、本発明はこれに限られない。例えば、ラックプレート３１の左右方向の移動をセレクトプレート３７の前後方向の移動に変換する機構を、ラックおよびピニオンにより構成してもよい。
【００９６】
また、上述した実施形態では、イジェクトアーム４１を用いて記録ディスク１、２の引き込み完了検出を行う場合を例にあげたが、本発明はこれに限られない。例えば、セレクトプレート３７上に記録ディスクの後ろ側周縁の位置などを検出するセンサを固定し、ディスクドライブに挿入された記録ディスクの直径に応じてセレクトプレート３７を前後方向に移動させることにより、センサを前後方向に移動させてもよい。
【００９７】
また、上述したディスクドライブ１０において、シャーシ１１が基板の具体例であり、ローディングアーム２１が搬送アームの具体例であり、ラックプレート３１が第１移動部材の具体例であり、ギア２４、ピニオン２５およびラック部３１Ａ、３１Ｂが第１動き変換機構の具体例である。また、セレクトプレート３７が第２移動部材の具体例であり、セレクトカム溝３３およびセレクトピン３８が第２動き変換機構の具体例であり、イジェクトアーム４１およびトリガープレート４６が引き込み検出手段の具体例である。また、イジェクトアーム４１は検出アームの具体例であり、トリガープレート４６は、回動検出手段の具体例である。
【００９８】
また、本発明は、請求の範囲および明細書全体から読み取るこのできる発明の要旨または思想に反しない範囲で適宜変更可能であり、そのような変更を伴うディスクドライブもまた本発明の技術思想に含まれる。
【図面の簡単な説明】
【００９９】
【図１】本発明のディスクドライブの実施形態を示す斜視図である。
【図２】図１中のディスクドライブの内部を示す平面図である。
【図３】小径の記録ディスクが挿入されたときのディスクドライブの内部を示す平面図である。
【図４】小径の記録ディスクがクランプ位置に搬送されたときのディスクドライブの内部を示す平面図である。
【図５】小径の記録ディスクがクランプされたときのディスクドライブの内部を示す平面図である。
【図６】小径の記録ディスクがイジェクト完了位置で停止したときのディスクドライブの内部を示す平面図である。
【図７】大径の記録ディスクが挿入されたときのディスクドライブの内部を示す平面図である。
【図８】大径の記録ディスクの搬送途中におけるディスクドライブの内部を示す平面図である。
【図９】大径の記録ディスクがクランプ位置に搬送されたときのディスクドライブの内部を示す平面図である。
【図１０】大径の記録ディスクがクランプされたときのディスクドライブの内部を示す平面図である。
【図１１】大径の記録ディスクがイジェクト完了位置で停止したときのディスクドライブの内部を示す平面図である。
【図１２】直径８ｃｍの記録ディスクが引き込み完了位置に到達したときのラックプレート、セレクトプレート、イジェクトアームおよびトリガープレートなどを示す拡大平面図である。
【図１３】直径１２ｃｍの記録ディスクが引き込み完了位置に到達したときのラックプレート、セレクトプレート、イジェクトアームおよびトリガープレートなどを示す拡大平面図である。
【符号の説明】
【０１００】
１０  ディスクドライブ
１１  シャーシ
２１  ローディングアーム
２４  ギア
２５  ピニオン
３１  ラックプレート
３１Ａ、３１Ｂ  ラック部
３３  セレクトカム溝
３３Ａ、３３Ｂ  溝部
３７  セレクトプレート
３８  セレクトピン
４１  イジェクトアーム
４２  支軸
【図１】
2007102937.tif 000003
【図２】
2007102937.tif 000004
【図３】
2007102937.tif 000005
【図４】
2007102937.tif 000006
【図５】
2007102937.tif 000007
【図６】
2007102937.tif 000008
【図７】
2007102937.tif 000009
【図８】
2007102937.tif 000010
【図９】
2007102937.tif 000011
【図１０】
2007102937.tif 000012
【図１１】
2007102937.tif 000013
【図１２】
2007102937.tif 000014
【図１３】
2007102937.tif 000015